(57)【要約】【課題】手荒れに関係なく、痛みを伴わないタワシであって、同種或いは異種タワシ二個を組み合わせ、一体的にして使用できる二種タワシを提供する。【解決手段】上記課題を解決するため、本発明は、指先で側面が掴まれるセパレータと、前記セパレータの一側面に留具で固定した第一タワシと、前記セパレータの他側面に留具で固定した第二タワシと、からなることを特徴とする二種タワシの構成とした。さらに、前記セパレータが、両側面に分割可能としたことを特徴とする二種タワシの構成とした。【選択図】図４
2020202969.tif 000002
【特許請求の範囲】
【請求項１】
指先で側面が掴まれるセパレータと、
前記セパレータの一側面に留具で固定した第一タワシと、
前記セパレータの他側面に留具で固定した第二タワシと、
からなることを特徴とする
二種タワシ。
【請求項２】
第一タワシが針状タワシであって、第二タワシが金タワシであることを特徴とする請求項１に記載の二種タワシ。
【請求項３】
前記セパレータが、平面視で、前記第一タワシ及び前記第二タワシの幅、奥行きよりも共に小さいことを特徴とする請求項１又は請求項２に記載の二種タワシ。
【請求項４】
前記第一タワシを、本体と、前記本体の外周に廻された針金又はバンドと、前記針金又はバンドに固定された片又はリングと、前記片又はリングを介して前記セパレータの一側面にビスで留めた第一タワシとしたことを特徴とする請求項１〜請求項３の何れか一項に記載の二種タワシ。
【請求項５】
前記第二タワシを、本体と、前記本体を前記セパレータの他側面にピンで留めた第二タワシとしたことを特徴とする請求項１〜請求項４の何れか一項に記載の二種タワシ。
【請求項６】
前記ビスと前記ピンが、一体のワイヤで前記セパレータを貫通する留具であることを特徴とする請求項４又は請求項５に記載の二種タワシ。
【請求項７】
前記セパレータが、両側面に分割可能としたことを特徴とする請求項１〜請求項６の何れか一項に記載の二種タワシ。
【請求項８】
前記第一タワシを、針状タワシとし、前記セパレータ側を平坦にカットして前記セパレータへの固定安定性を高めたことを特徴とする請求項１〜請求項７の何れか一項に記載の二種タワシ。
【発明の詳細な説明】
【技術分野】
【０００１】
本発明は、手荒れに関係なく、痛みを伴わないタワシであって、同種或いは異種タワシ二個を組み合わせ、一体的にして使用できる二種タワシに関する。
【背景技術】
【０００２】
ここで、洗浄具には、タワシと、スポーラスなスポンジがある。タワシは、形状、素材から、大きく分けて、ヤシ系素材（棕櫚）などを用いた無数の針を備える植物製或いは樹脂製などの針状タワシと、ステンレス金属フィルムを縮めた金タワシなどがある。
【０００３】
洗い物仕事を長時間すると、手荒れ（ヒビ、アカギレ）が発生する。特に、針状のタワシ、金タワシは、手荒れしているとき素手で使用すると、割れに針、金属が刺さり、痛みを伴い、とても苦痛な作業である。
【０００４】
他方、スポンジであれば、針が刺さる痛みを伴わないが、タワシを使用する目的に適した十分な洗浄効果が得られない。また、手袋をしてタワシを用いても、針で穴があき、ほぼ針刺さりを防止効果はない。
【０００５】
手荒れに関係なく、痛みを伴わないタワシとして、柄付きの特許文献１の「柄付金属タワシ」などがあるが、柄があるため、素手で使用でき、細かな動き、力を加えられるタワシのような効果を得られるものではない。
【先行技術文献】
【特許文献】
【０００６】
【特許文献１】特開２０１２−６５６９１号公報
【発明の概要】
【発明が解決しようとする課題】
【０００７】
そこで、本発明は、手荒れに関係なく、痛みを伴わないタワシであって、同種或いは異種タワシ二個を組み合わせ、一体的にして使用できる二種タワシを提供することを目的とする。
【課題を解決するための手段】
【０００８】
上記の課題を解決するために、本発明は、
（１）
指先で側面が掴まれるセパレータと、
前記セパレータの一側面に留具で固定した第一タワシと、
前記セパレータの他側面に留具で固定した第二タワシと、
からなることを特徴とする
二種タワシ。
（２）
第一タワシが針状タワシであって、第二タワシが金タワシであることを特徴とする（１）に記載の二種タワシ。
（３）
前記セパレータが、平面視で、前記第一タワシ及び前記第二タワシの幅、奥行きよりも共に小さいことを特徴とする（１）又は（２）に記載の二種タワシ。
（４）
前記第一タワシを、本体と、前記本体の外周に廻された針金又はバンドと、前記針金又はバンドに固定された片又はリングと、前記片又はリングを介して前記セパレータの一側面にビスで留めた第一タワシとしたことを特徴とする（１）〜（３）の何れか一に記載の二種タワシ。
（５）
前記第二タワシを、本体と、前記本体を前記セパレータの他側面にピンで留めた第二タワシとしたことを特徴とする（１）〜（４）の何れか一に記載の二種タワシ。
（６）
前記ビスと前記ピンが、一体のワイヤで前記セパレータを貫通する留具であることを特徴とする（４）又は（５）に記載の二種タワシ。
（７）
前記セパレータが、両側面に分割可能としたことを特徴とする（１）〜（６）の何れか一に記載の二種タワシ。
（８）
前記第一タワシを、針状タワシとし、前記セパレータ側を平坦にカットして前記セパレータへの固定安定性を高めたことを特徴とする（１）〜（７）の何れか一に記載の二種タワシ。
の構成とした。
【０００９】
ここで、針状タワシは、多数の針を備え、セパレータに固定できれば、素材、形状に関係なく採用できる。図６に示すように、一般に、針状タワシ３ａは、針３ｂ（すべての針３ｂがまとまって「本体３ｃ」という）を二本の針金３ｄで挟み、撚ったうえで輪状にしており、側面にバンド（縄）を巻くこともある。また、針金の両端を輪状に連結した部分に、さらに引っかけようのリングを設けることもある。
【００１０】
また、図７に示すように、金タワシ４ａも同様に、金属フィルム４ｂ（主に、ステンレス）が縮れて集まった本体４ｃを、セパレータに固定できれば、金属素材、形状に関係なく採用できる。
【００１１】
セパレータは、木材、ゴム、プラスチックなどの素材で成型でき、指で持ちやすいよう、湾曲させ、あるいは滑らないようエンボスなど滑り止め加工を加えてもよい。
【００１２】
留具は、紐、ワイヤ、ビス、ピン、釘など、種類を問わす、第一タワシ、第二タワシをセパレータに固定できればよい。
【発明の効果】
【００１３】
本願発明は、上記構成であるので、すなわち、手荒れに関係なく、痛みを伴わないタワシであって、同種或いは異種タワシ二個を組み合わせ、一体的にして使用することができる。
【図面の簡単な説明】
【００１４】
【図１】本発明である二種タワシの第一実施例の側面模式図である。
【図２】本発明である二種タワシの第二実施例の側面模式図である。
【図３】本発明である二種タワシの第三実施例の側面模式図である。
【図４】本発明である二種タワシの第四実施例の側面部分断面模式図である。
【図５】一般的な針状タワシの説明図である。
【図６】一般的な金タワシの説明図である。
【発明を実施するための形態】
【００１５】
以下、本願発明について写真を参照して詳細に説明する。なお、本発明は、以下の実施例に限定されるものではない。
【実施例１】
【００１６】
本発明である二種タワシ１は、図１に示すように、セパレータ２の上下面に、それぞれ、第一タワシ３と、第二タワシ４を固定してなる。
【００１７】
ここでは、第一タワシ３は、針状タワシ３ａのセパレータ２側の面（針金より先）を平坦３ｆにカットして、針３ｂの長さを短く、かつ同じ長さに揃え、セパレータ２への第一タワシ３の固定安定性を高めている。第二タワシ４は、金タワシ４ａである。
【００１８】
第一タワシ３、第二タワシ４のセパレータ２への固定手段（留具５）は特に限定しない。
【００１９】
セパレータ２の側面２ａは、指で持ちやすいよう、湾曲（凹）させてある。そして、セパレータ２は平面視（図１上側から）で、第一タワシ３及び第二タワシ４の幅（図２において手前から奥方向）、奥行き（図２において左右方向）よりも共に小さい。これにより、二種タワシ１を把持しやすくなる。
【実施例２】
【００２０】
本発明である二種タワシ１ａは、実施例１において、第一タワシである針状タワシ３ａは、針金３ｄにリング３ｅと片３ｇ（布）を備え、リング３ｅと片３ｇを介して、留具としてビス５ａでセパレータ２の上面に固定されている。リング３ｅと片３ｇは、針金３ｄでなく、針金３ｄの位置に巻かれたバンド（図示省略）に備えてもよい。
【００２１】
また、第二タワシ４である金タワシ４ａは、二股のピン５ｂでセパレータ２の下面に固定されている。
【実施例３】
【００２２】
本発明である二種タワシ１ｂは、実施例１における留具５を、セパレータ２を貫通する孔２ｂに通した輪状の一体のワイヤ５ｃ（複数本）で、第一タワシ３と第二タワシ４を一体的にセパレータ２に固定している。ワイヤ５ｃの第一タワシ３側は、針金３ｄに係止している。
【実施例４】
【００２３】
発明である二種タワシ１ｃは、実施例１におけるセパレータ２をネジ２ｄを備える第一部材２ｃと、ネジ２ｄと螺合するネジ穴２ｆを備える第二部材２ｅ（断面図表示、留具５も一部断面）に分割可能とし、ネジ螺合式としたものである。一方のタワシが劣化した場合に片方のタワシだけ交換できるため経済的であるとともに、分割して狭い部分の磨き洗浄にも利用することができ便利である。
【符号の説明】
【００２４】
１      二種タワシ
１ａ    二種タワシ
１ｂ    二種タワシ
１ｃ    二種タワシ
２      セパレータ
２ａ    側面
２ｂ    孔
２ｃ    第一部材
２ｄ    ネジ
２ｅ    第二部材
２ｆ    ネジ穴
３      第一タワシ
３ａ    針状タワシ
３ｂ    針
３ｃ    本体
３ｄ    針金
３ｅ    リング
３ｆ    平坦
３ｇ    片
４      第二タワシ
４ａ    金タワシ
４ｂ    金属フィルム
４ｃ    本体
５      留具
５ａ    ビス
５ｂ    ピン
５ｃ    ワイヤ
【図１】
2020202969.tif 000003
【図２】
2020202969.tif 000004
【図３】
2020202969.tif 000005
【図４】
2020202969.tif 000006
【図５】
2020202969.tif 000007
【図６】
2020202969.tif 000008
【手続補正書】
【提出日】令和2年8月27日(2020.8.27)
【手続補正１】
【補正対象書類名】特許請求の範囲
【補正対象項目名】全文
【補正方法】変更
【補正の内容】
【特許請求の範囲】
【請求項１】
指先で側面が掴まれるセパレータと、
前記セパレータの一側面に留具で固定した第一タワシと、
前記セパレータの他側面に留具で固定した第二タワシと、
からなり、
前記セパレータが、両側面に分割可能としたことを特徴とする二種タワシ。
【請求項２】
第一タワシが針状タワシであって、第二タワシが金タワシであることを特徴とする請求項１に記載の二種タワシ。
【請求項３】
前記セパレータが、平面視で、前記第一タワシ及び前記第二タワシの幅、奥行きよりも共に小さいことを特徴とする請求項１又は請求項２に記載の二種タワシ。
【請求項４】
前記第一タワシを、本体と、前記本体の外周に廻された針金又はバンドと、前記針金又はバンドに固定された片又はリングと、前記片又はリングを介して前記セパレータの一側面にビスで留めた第一タワシとしたことを特徴とする請求項１〜請求項３の何れか一項に記載の二種タワシ。
【請求項５】
前記第二タワシを、本体と、前記本体を前記セパレータの他側面にピンで留めた第二タワシとしたことを特徴とする請求項１〜請求項４の何れか一項に記載の二種タワシ。
【請求項６】
前記第一タワシを、針状タワシとし、前記セパレータ側を平坦にカットして前記セパレータへの固定安定性を高めたことを特徴とする請求項１〜請求項５の何れか一項に記載の二種タワシ。
【手続補正２】
【補正対象書類名】明細書
【補正対象項目名】０００８
【補正方法】変更
【補正の内容】
【０００８】
上記の課題を解決するために、本発明は、
（１）
指先で側面が掴まれるセパレータと、
前記セパレータの一側面に留具で固定した第一タワシと、
前記セパレータの他側面に留具で固定した第二タワシと、
からなり、
前記セパレータが、両側面に分割可能としたことを特徴とする二種タワシ。
（２）
第一タワシが針状タワシであって、第二タワシが金タワシであることを特徴とする（１）に記載の二種タワシ。
（３）
前記セパレータが、平面視で、前記第一タワシ及び前記第二タワシの幅、奥行きよりも共に小さいことを特徴とする（１）又は（２）に記載の二種タワシ。
（４）
前記第一タワシを、本体と、前記本体の外周に廻された針金又はバンドと、前記針金又はバンドに固定された片又はリングと、前記片又はリングを介して前記セパレータの一側面にビスで留めた第一タワシとしたことを特徴とする（１）〜（３）の何れか一に記載の二種タワシ。
（５）
前記第二タワシを、本体と、前記本体を前記セパレータの他側面にピンで留めた第二タワシとしたことを特徴とする（１）〜（４）の何れか一に記載の二種タワシ。
（６）
前記第一タワシを、針状タワシとし、前記セパレータ側を平坦にカットして前記セパレータへの固定安定性を高めたことを特徴とする（１）〜（５）の何れか一に記載の二種タワシ。
の構成とした。